(57)【要約】【課題】構造体の側面にコンクリートブロックが配置されて構造体が一旦構築されると、構造体の内部の状況を点検することは従来困難であった。【解決手段】構造体は建設資材１１が積み重ねられて構築されており、脱着式壁面構造は、この構造体の側面を複数個で覆う壁面材１２と、壁面材１２を構造体の側面側に引っ張る、張力材１５，メガネボルト１６，およびナット１７を備えた壁面接合治具１３とから構成されている。壁面接合治具１３は、一端が建設資材１１間に挟持され、他端が壁面材１２に着脱自在に取り付けられている。メガネボルト１６の他端をナット１７によって壁面材１２に着脱することにより、壁面材１２は他の壁面材１２から独立して構造体の側面に各々脱着される。このため、各々の壁面材１２を構造体の側面から容易に取り外すことが出来、壁面材１２の背面側の構造体内部を容易に点検することが可能になる。【選択図】  図２
2004244971.tif 000002
【特許請求の範囲】
【請求項１】
建設資材が積み重ねられた構造体の側面を複数個で覆う壁面材と、一端が前記建設資材間に挟持され他端が前記壁面材に着脱自在に取り付けられて前記壁面材を前記構造体の側面側に引っ張る壁面接合治具とから構成される脱着式壁面構造。
【請求項２】
前記壁面接合治具は、一端が前記建設資材間に挟持される張力材と、一端がこの張力材の他端に連結され他端が前記壁面材に形成された穴に挿入される部材と、前記穴から前記壁面材の表面側に突出した前記部材の他端を前記壁面材に着脱自在に係止する係止材とから構成されることを特徴とする請求項１に記載の脱着式壁面構造。
【請求項３】
前記壁面材は遮光性を有する軽量材からなることを特徴とする請求項１または請求項２に記載の脱着式壁面構造。
【請求項４】
前記壁面材と前記構造体の側面との間に緩衝材を備えていることを特徴とする請求項１から請求項３のいずれか１項に記載の脱着式壁面構造。
【請求項５】
前記建設資材は、袋に詰め込まれてほぼ箱状に成形された土またはその代替物が前記袋を構成する布材の引っ張り強さに応じて前記袋から受ける最大拘束応力に基づいて圧縮耐力を求め、求めたこの圧縮耐力に基づいて圧縮耐力に関する性能表示が行われた、袋で土またはその代替物を拘束補強した建設資材であることを特徴とする請求項１から請求項４のいずれか１項に記載の脱着式壁面構造。
【請求項６】
請求項２に記載の脱着式壁面構造を構成する前記部材の他端に着脱自在に連結されて前記部材の長さを延長し、前記壁面材の穴に挿入されて前記壁面材を前記構造体の側面まで導入する壁面材導入治具。
【発明の詳細な説明】
【０００１】
【発明の属する技術分野】
本発明は、建設資材が積み重ねられた構造体の側面を複数個の壁面材で着脱自在に覆う脱着式壁面構造、およびこの脱着式壁面構造を組み立て直す際に使用される壁面材導入治具に関するものである。
【０００２】
【従来の技術】
従来、図１に示すように、土等が詰め込まれた土のうといった建設資材１は、抗土圧構造物や土中構造物等の構造体の本体や基礎、裏込め部等に積み重ねられて用いられ、構造体の重量を支える支持材として機能する場合がある。建設資材１がこのような支持材として用いられる場合、構造体の性能を客観的に評価するため、建設資材１に性能表示が行われている（例えば、特許文献１参照）。
【０００３】
この性能表示は、袋に詰め込まれてほぼ箱状に成形された土またはその代替物が袋を構成する布材の引っ張り強さに応じて袋から受ける最大拘束応力に基づいて圧縮耐力を求め、求めたこの圧縮耐力に基づいて圧縮耐力に関して行われている。
【０００４】
【特許文献１】
特許第３１８７８０４号公報
【０００５】
【発明が解決しようとする課題】
しかしながら、上記のように建設資材１が積み重ねられて構築された構造体は、その側面がＬ型コンクリート壁面材といったコンクリートブロック２によって覆われ、コンクリートブロック２の一部２ａは積み重ねられた建設資材１の間に挟持される。このため、構造体が一旦構築されると、コンクリートブロック２を移動させることが困難であることから、コンクリートブロック２内部の構造体の状況を点検することは従来困難であった。
【０００６】
【課題を解決するための手段】
本発明はこのような課題を解決するためになされたもので、建設資材が積み重ねられた構造体の側面を複数個で覆う壁面材と、一端が建設資材間に挟持され他端が壁面材に着脱自在に取り付けられて壁面材を構造体の側面側に引っ張る壁面接合治具とから、脱着式壁面構造を構成した。この壁面接合治具は、例えば、一端が前記建設資材間に挟持される張力材と、一端がこの張力材の他端に連結され他端が前記壁面材に形成された穴に挿入される部材と、前記穴から前記壁面材の表面側に突出した前記部材の他端を前記壁面材に着脱自在に係止する係止材とから構成される。
【０００７】
この構成によれば、複数個の各壁面材は、壁面接合治具の例えば張力材によって構造体の側面側にそれぞれ引っ張られ、構造体の側面にそれぞれ保持固定される。また、壁面接合治具の他端、例えば、壁面材に形成された穴に挿入される部材の他端を例えば係止材によって壁面材に着脱することにより、壁面材は他の壁面材から独立して構造体の側面に各々脱着される。
【０００８】
また、本発明は、壁面材が遮光性を有する軽量材からなることを特徴とする。
【０００９】
この構成によれば、壁面材はコンクリートブロック等に比較して軽量化されるため、建設資材が軽量に形成された場合にも、この建設資材が積み重ねられて構成される構造体の側面に使用することが出来る。また、壁面材は遮光性を有するため、壁面材の背面側の建設資材に光が届かなくなり、建設資材が光によって劣化するのを防ぐことが出来る。
【００１０】
また、本発明は、壁面材と構造体の側面との間に緩衝材を備えていることを特徴とする。
【００１１】
この構成によれば、壁面材で覆われる建設資材の各側部が構造体の側面に沿って均一に積み重ねられておらず、積み重ねられた建設資材の側面に凹凸が生じていても、この凹凸は緩衝材の一面側において吸収され、壁面材はこの緩衝材の平らな他面側に接して構造体の側面に引っ張られる。
【００１２】
また、本発明は、一端が張力材の他端に連結され他端が壁面材に形成された穴に挿入される部材の他端に着脱自在に連結されてこの部材の長さを延長し、壁面材の穴に挿入されて壁面材を構造体の側面まで導入する壁面材導入治具を構成したことを特徴とする。
【００１３】
この構成によれば、建設資材間に挟持された張力材に一端が連結され、積み重ねられた建設資材の側部に端部が露出した部材に壁面材を取り付ける際、部材の他端に壁面材導入治具を連結し、この壁面材導入治具に壁面材の穴を挿入することにより、壁面材を壁面導入治具に沿って移動させて構造体の側面まで導入することが出来る。
【００１４】
【発明の実施の形態】
次に、本発明の一実施形態による脱着式壁面構造および壁面材導入治具について説明する。
【００１５】
図２は本実施形態による脱着式壁面構造の断面図である。構造体は建設資材１１が積み重ねられて構築されており、脱着式壁面構造は、この構造体の側面を複数個で覆う壁面材１２と、壁面材１２を構造体の側面側に引っ張る壁面接合治具１３とから構成されている。壁面接合治具１３は、一端が建設資材１１間に挟持され、他端が壁面材１２に着脱自在に取り付けられている。また、本実施形態では、壁面材１２と構造体の側面との間に緩衝材として圧縮性アジャスタ１４を備えている。壁面材１２は遮光性を有する軽量材、例えば、樹脂板や間伐材パネル，サイディング・ボート等からなり、圧縮性アジャスタ１４は発泡スチロール板等からなる。
【００１６】
建設資材１１は、図３（ａ）に示すような織布または不織布製の土のう袋１１ａに土またはその代替物が詰め込まれて、同図（ｂ）に示すようなほぼ箱状に成形されている。同図（ｃ）は建設資材１１の平面，正面および側面を示す三面図である。この正面図および側面図に示すように、建設資材１１の周縁部はその高さＨの１／２がかまぼこ状に突出している。また、建設資材１１を多層に垂直方向に載荷した際、建設資材１１にかかる圧縮力Ｆは、同図（ｂ）に示す、長さがＬで幅がＢの面状の受圧部で支持される。
【００１７】
このように土を土のう袋１１ａに詰め、この土のう袋１１ａにかける圧縮力Ｆを最大圧縮力にすると、土のう袋１１ａを構成する布材の引っ張り強さＴによって土のう袋１１ａの内部の土は土のう袋１１ａから反力を受け、土のう袋１１ａの内部の土には最大有効拘束応力σ’が発生する。このとき、建設資材１１の受圧部全体による極限圧縮耐力Ｑｕは次式によって求まる。
【００１８】
Ｑｕ＝２・σ’・Ｂ・Ｌ                …（１）
また、土のう袋１１ａ内の土の最大有効拘束応力σ’によって建設資材１１に発現する最大剪断強度τｆは、土の内部摩擦角をφとすると次式によって表される。
【００１９】
τｆ＝σ’・ｃｏｓφ                    …（２）
建設資材１１の極限剪断耐力Ｑｓはこの最大剪断強度τｆに基づいて極限圧縮耐力Ｑｕと同様にして算出することが出来る。このため、これらの極限圧縮耐力Ｑｕや極限剪断耐力Ｑｓに基づき、建設資材１１について、圧縮耐力や剪断耐力に関する性能表示が行える。このように建設資材１１の性能表示を行えば、建設資材１１が構造体の支持材として用いられる場合、この建設資材１１を用いた構造体の性能を表示することが出来、構造体が客観的に評価される（特許第３１８７８０４号公報参照）。
【００２０】
図４は図２に示した本実施形態による脱着式壁面構造を背面側から見た斜視図である。なお、同図において図２と同一部分には同一符号を付して説明する。
【００２１】
壁面接合治具１３は、張力材１５，メガネボルト１６，およびナット１７を備えて構成されている。張力材１５は面状に編まれたネットからなり、一端にアンカープレート１８が取り付けられて図２に示すように建設資材１１間に挟持されている。この張力材１５の他端は、棒材１９に巻かれて折り返されており、さらに板材２０の下方に通されている。従って、張力材１５が図２に示すように建設資材１１間に挟持されると、その他端は板材２０に押さえ込まれて固定される。棒材１９の両端部はメガネボルト１６のメガネ穴に通されており、従って、張力材１５の他端が上記のように固定されることにより、張力材１５の他端はメガネボルト１６の一端に連結される。
【００２２】
メガネボルト１６は、メガネ穴が形成された一端が張力材１５の他端に連結され、雄ネジが形成された他端が壁面材１２に形成された穴１２ａに挿入される部材を構成している。ナット１７は、穴１２ａから壁面材１２の表面側に突出したメガネボルト１６の他端に座金２１を介して螺合し、このメガネボルト１６の他端を壁面材１２に着脱自在に係止する係止材を構成している。ナット１７の頭部の壁面材１２に形成される空間には、図２に示すようにキャップ２２が被される。このキャップ２２は、壁面材１２と同様な遮光性を有する樹脂からなる。
【００２３】
図５は、本実施形態による壁面材導入治具３０の断面図である。なお、同図において図２と同一部分には同一符号を付してその説明は省略する。
【００２４】
壁面材導入治具３０は３０〜５０［ｃｍ］程度の長さの棒材からなり、その一端には雄ネジ３０ａが形成されている。また、メガネボルト１６の他端には、雄ネジ３０ａが螺合する雌ネジ１６ａが形成されている。壁面材導入治具３０は、雄ネジ３０ａが雌ネジ１６ａに螺合することにより、その一端がメガネボルト１６の他端に着脱自在に連結されてメガネボルト１６の長さを延長する。そして、壁面材導入治具３０は、壁面材１２の穴１２ａに挿入されて壁面材１２を構造体の側面まで導入する。
【００２５】
このような構成において、構造体の側面への壁面材１２の取付は次のように行われる。つまり、メガネボルト１６の他端が壁面材１２の穴１２ａに挿入され、この穴１２ａから出たメガネボルト１６の他端に、座金２１を介してナット１７が螺合される。そして、ナット１７の頭部にキャップ２２が被され、次に、一対のメガネボルト１６の各メガネ穴に棒材１９が挿入される。このようにしてメガネボルト１６および棒材１９が取り付けられた壁面材１２がまず用意される。
【００２６】
次に、建設資材１１が積み重ねられて構造体が構築される際、建設資材１１の表面上部に張力材１５およびアンカープレート１８が図２に示すように載置される。その後、用意された壁面材１２が建設資材１１の側方に置かれる。そして、張力材１５の他端が、メガネボルト１６に通された棒材１９に巻かれて折り返され、さらに板材２０の下方に通される。この状態で、張力材１５が載置された建設資材１１に重ねて次の建設資材１１が積み上げられる。その後、同様な作業が繰り返され、建設資材１１が積み上げられて行くのと同時に、壁面材１２が建設資材１１の側方に固定されて行く。
【００２７】
このようにして複数個の壁面材１２で覆われた構造体の側面は、その後、適宜、キャップ２２およびナット１７を取り外すことにより、所望の箇所の壁面材１２を取り外して構造体内部の建設資材１１の状況を点検することが出来る。
【００２８】
また、点検後、取り外した壁面材１２を元の位置に取り付ける際には、まず、建設資材１１間に露出したメガネボルト１６の雌ネジ１６ａに壁面材導入治具３０の雄ネジ３０ａを螺合させる。そして、壁面材導入治具３０を取り外した壁面材１２の穴１２ａに挿入し、壁面材１２を建設資材１１の側方まで導入する。引き続いて、座金２１およびナット１７を図５に点線で示すように壁面材導入治具３０に挿入し、壁面材１２と同様にして座金２１およびナット１７を建設資材１１の側方まで導入する。その後、ナット１７とメガネボルト１６とを螺合させることにより、取り外した壁面材１２は元の位置に取り付けられる。
【００２９】
このため、本実施形態による壁面材導入治具３０を用いることにより、脱着式壁面構造を組み立て直す際、建設資材１１の側部に露出し、位置が定まらずに浮遊するメガネボルト１６に壁面材１２を容易に取り付けることが出来る。
【００３０】
また、本実施形態による脱着式壁面構造によれば、複数個の各壁面材１２は、張力材１５によって構造体の側面側にそれぞれ引っ張られ、構造体の側面にそれぞれ保持固定される。また、メガネボルト１６の他端をナット１７によって壁面材１２に着脱することにより、壁面材１２は他の壁面材１２から独立して構造体の側面に各々脱着される。
【００３１】
このため、壁面接合治具１３によって構造体の側面を複数個の壁面材１２で覆った後にも、各々の壁面材１２を構造体の側面から容易に取り外すことが出来、壁面材１２の背面側の構造体内部を容易に点検することが可能になる。また、個々の壁面材１２の耐久性能や破損に応じ、個々の壁面材１２を新たな壁面材１２に容易に取り替えることが可能になる。また、張力材１５を棒材１９で折り返す長さを調節したりして、壁面接合治具１３によって壁面材１２を構造体の側面に引っ張る力を調整することにより、構造体の側面において各壁面材１２が張る面の位置を調整することが出来る。従って、複数個の各壁面材１２が形成する構造体の側面にゆがみや凹凸が生じても、これを平らに均すことが出来る。
【００３２】
また、本実施形態による脱着式壁面構造によれば、軽量材からなる壁面材１２は従来のコンクリートブロック２等に比較して軽量化される。このため、土に代えて発泡スチロールや間伐材等のリサイクル品が土のう袋１１ａに詰められ、建設資材１１が軽量された場合にも、この軽量化された建設資材１１が積み重ねられて構築される構造体の側面に使用することが出来る。なお、壁面材１２は、このような軽量化された構造体に使用しない場合には、コンクリート板等の重量材によって構成することが出来る。また、壁面材１２は遮光性を有するため、壁面材１２の背面側の建設資材１１に光が届かなくなり、建設資材１１を構成する土のう袋１１ａが光によって劣化するのを防ぐことが出来る。
【００３３】
また、本実施形態による脱着式壁面構造によれば、壁面材１２で覆われる建設資材１１の各側部が構造体の側面に沿って均一に積み重ねられておらず、積み重ねられた建設資材１１の側面に凹凸が生じていても、この凹凸は圧縮性アジャスタ１４の一面側において吸収され、壁面材１２は、この圧縮性アジャスタ１４の平らな他面側に接して構造体の側面に引っ張られる。このため、壁面材１２は、積み重ねられた建設資材１１の側面に凹凸が生じていても、構造体の側面に取り付けることが可能になる。
【００３４】
なお、上記実施形態の説明においては、張力材１５の他端を図４に示すように棒材１９に巻き付けて折り返した場合について説明したが、図６（ａ）に示すように、張力材１５の他端をメガネボルト１６のメガネ穴に直接結びつけてメガネボルト１６の一端に連結するようにしてもよい。
【００３５】
また、上記実施形態の説明においては、張力材１５を面状のネットとして説明したが、張力材１５はこのネットに限定されることはなく、例えば、面状や帯状をした鋼板や、線状のワイヤや丸鋼のようなものによっても構成することが出来る。線状のものは、建設資材１１間に挟持された時に呈する摩擦力が小さいため、例えば、図６（ｂ）に示す丸鋼４１のように、一端につば状のアンカープレート４２を設けることが好ましい。なお、図６（ａ），（ｂ）において、図４と同一または相当する部分には同一符号を付してその説明は省略する。
【００３６】
また、上記実施形態においては、一端が張力材１５の他端に連結され、他端が壁面材１２に形成された穴１２ａに挿入される部材をメガネボルト１６、穴１２ａから壁面材１２の表面側に突出した部材の他端を壁面材１２に着脱自在に係止する係止材をナット１７とした場合について説明した。しかし、これら部材および係止材はメガネボルト１６およびナット１７に限定されることはない。例えば、部材として、一端が張力材１５の他端に連結され、他端が壁面材１２に形成された穴１２ａに挿入されるピン、係止材として、穴１２ａから壁面材１２の表面側に突出したピンの他端を壁面材１２に着脱自在に係止する割ピンやＥリングなどによって構成することも出来る。
【００３７】
このような各構成によっても、上記実施形態と同様な作用効果が奏される。
【００３８】
【発明の効果】
以上説明したように本発明によれば、複数個の各壁面材は、壁面接合治具によって構造体の側面側にそれぞれ引っ張られ、構造体の側面にそれぞれ保持固定される。また、壁面接合治具の他端を壁面材に着脱することにより、壁面材は他の壁面材から独立して構造体の側面に各々脱着される。このため、壁面接合治具によって構造体の側面を複数個の壁面材で覆った後にも、各々の壁面材を構造体の側面から容易に取り外すことが出来、壁面材の背面側の構造体内部を容易に点検することが可能になる。また、個々の壁面材の耐久性能や破損に応じ、個々の壁面材を新たな壁面材に容易に取り替えることが可能になる。また、壁面接合治具によって壁面材を構造体の側面に引っ張る力を調整することにより、構造体の側面において各壁面材が張る面の位置を調整することが出来、複数個の各壁面材が形成する構造体の側面を平らに均すことが出来る。
【００３９】
また、壁面材が遮光性を有する軽量材からなる構成の場合、壁面材はコンクリートブロック等に比較して軽量化されるため、建設資材が軽量に形成された場合にも、この建設資材が積み重ねられて構成される構造体の側面に使用することが出来る。また、壁面材は遮光性を有するため、壁面材の背面側の建設資材に光が届かなくなり、建設資材が光によって劣化するのを防ぐことが出来る。
【００４０】
また、壁面材と構造体の側面との間に緩衝材を備えている構成の場合、壁面材で覆われる建設資材の各側部が構造体の側面に沿って均一に積み重ねられておらず、積み重ねられた建設資材の側面に凹凸が生じていても、この凹凸は緩衝材の一面側において吸収され、壁面材はこの緩衝材の平らな他面側に接して構造体の側面に引っ張られる。このため、壁面材は、積み重ねられた建設資材の側面に凹凸が生じていても、構造体の側面に取り付けることが可能になる。
【００４１】
また、壁面材の穴に挿入されて壁面材を構造体の側面まで導入する壁面材導入治具を用いることにより、脱着式壁面構造を組み立て直す際、建設資材の側部に端部が露出し、位置が定まらずに浮遊する部材に壁面材を容易に取り付けることが出来る。
【図面の簡単な説明】
【図１】従来の構造体の側面の壁面構造を示す側面図である。
【図２】本発明の一実施形態による脱着式壁面構造の断面図である。
【図３】図２に示す建設資材に用いられる袋、およびこの袋に土が詰め込まれた状態を示す図である。
【図４】図２に示す脱着式壁面構造の斜視図である。
【図５】本発明の一実施形態による壁面材導入治具の側面図である。
【図６】本発明の一実施形態による壁面接合治具の変形例を示す斜視図である。
【符号の説明】
１１…建設資材
１２…壁面材
１３…壁面接合治具
１４…圧縮性アジャスタ
１５…張力材
１６…メガネボルト
１６ａ…雌ネジ
１７…ナット
１８…アンカープレート
１９…棒材
２０…板材
２１…座金
２２…キャップ
３０…壁面材導入治具
３０ａ…雄ネジ
【図１】
2004244971.tif 000003
【図２】
2004244971.tif 000004
【図３】
2004244971.tif 000005
【図４】
2004244971.tif 000006
【図５】
2004244971.tif 000007
【図６】
2004244971.tif 000008